(57)【要約】【課題】従来の画像検査装置は、読み取り画像に含まれた異常の原因を把握できないことがあった。【解決手段】画像検査装置３０は、画像形成装置１により、用紙に形成された画像を読み取って生成した読み取り画像を出力する画像読取部１２９と、読み取り画像を検査し、異常を含まないと判定される読み取り画像を正常画像とし、異常を含むと判定される読み取り画像を異常画像として検査結果を出力する画像検査部１２６と、読み取り画像、及び検査結果に基づいて、検査結果レポートを生成する検査結果レポート生成部１２４と、検査結果レポートを出力する検査結果レポート出力部１２７と、検査結果レポート出力部１２７に、正常画像及び異常画像を比較可能に出力する制御を行う制御部１２２と、を備える。【選択図】図５
2020026091.tif 000002
【特許請求の範囲】
【請求項１】
画像形成装置により、記録材に形成された画像を読み取って生成した読み取り画像を出力する画像読取部と、
前記読み取り画像を検査し、異常を含まないと判定される前記読み取り画像を正常画像とし、前記異常を含むと判定される前記読み取り画像を異常画像とした検査結果を出力する画像検査部と、
前記読み取り画像、及び前記検査結果に基づいて、検査結果レポートを生成する検査結果レポート生成部と、
前記検査結果レポートを出力する検査結果レポート出力部と、
前記検査結果レポート出力部に、前記正常画像及び前記異常画像を比較可能に出力させる制御を行う制御部と、を備える
画像検査装置。
【請求項２】
前記検査結果レポート出力部は、前記検査結果レポートに基づいて、前記正常画像及び前記異常画像を記検査結果レポート出力部に並べて表示させる
請求項１に記載の画像検査装置。
【請求項３】
前記制御部は、前記検査結果レポート生成部に対して、前記読み取り画像に対応する前記正常画像と、前記異常画像とを紐付けて前記検査結果レポートを生成させる
請求項２に記載の画像検査装置。
【請求項４】
前記正常画像は、前記画像検査部により前記異常を含むと判定された前記読み取り画像に対応するページに対して行われたリカバリ印刷により前記画像形成装置によって形成された画像の読み取り画像であって、前記画像検査部により異常を含まないと判定された前記読み取り画像である
請求項３に記載の画像検査装置。
【請求項５】
前記正常画像は、過去に実行されたジョブと同一のジョブが実行されることで前記記録材に形成された画像が、前記画像読取部により読み取られ、前記画像検査部により前記異常を含まないと判定された前記読み取り画像である
請求項３に記載の画像検査装置。
【請求項６】
前記検査結果レポート出力部は、前記異常画像の表示を指示するための異常画像出力指示部を有し、
前記検査結果レポートには、前記異常画像出力指示部の指示に応じて、前記異常画像だけが表示され、又は前記正常画像と前記異常画像とが並べて表示される
請求項１に記載の画像検査装置。
【請求項７】
前記検査結果レポート出力部は、前記異常画像に対して、異常個所を第１態様により強調して表示する
請求項１〜６のいずれか一項に記載の画像検査装置。
【請求項８】
前記検査結果レポート出力部は、同一ページの前記読み取り画像に対して複数回、前記異常を含むと判定され、かつ、前記異常を含むと判定された原因が同一である場合、前記異常個所を前記第１態様とは異なる第２態様により強調して表示する
請求項７に記載の画像検査装置。
【請求項９】
前記検査結果レポート出力部は、前記異常画像の前記異常を含む領域、及び前記正常画像の前記異常を含む領域に対応する領域を拡大して表示する
請求項２に記載の画像検査装置。
【請求項１０】
前記検査結果レポート出力部は、同一ページの前記読み取り画像に対して複数回、前記異常を含むと判定された場合に、前記検査結果レポート生成部により紐付けられた複数の前記異常画像をページ送り又はページ戻しして表示する
請求項２に記載の画像検査装置。
【請求項１１】
前記検査結果レポート出力部は、前記画像検査部が前記読み取り画像の異常を判定するための検査レベルを調整可能とする検査レベル設定部を有する
請求項２に記載の画像検査装置。
【請求項１２】
前記検査結果レポート生成部は、前記正常画像及び前記異常画像の画像サイズを前記読み取り画像の画像サイズを保ったまま並べた検査結果レポートを生成する
請求項２に記載の画像検査装置。
【請求項１３】
前記検査結果レポート出力部は、前記読み取り画像に対して、色味の検査を行う場合、前記画像形成を行う前に前記画像読取部により生成された基準画像と、前記読み取り画像とを比較出力する
請求項１に記載の画像検査装置。
【請求項１４】
記録材に画像形成し、前記記録材を出力する画像形成部と、
前記画像形成部と前記記録材を排出する排出先との間に配置され、前記記録材に形成された画像を読み取って生成した読み取り画像を出力する画像読取部と、
前記読み取り画像を検査し、異常を含まないと判定される前記読み取り画像を正常画像とし、前記異常を含むと判定される前記読み取り画像を異常画像とした検査結果を出力する画像検査部と、
前記読み取り画像、及び前記検査結果に基づいて、検査結果レポートを生成する検査結果レポート生成部と、
前記検査結果レポートを出力する検査結果レポート出力部と、
前記検査結果レポート出力部に、前記正常画像及び前記異常画像を比較可能に出力する制御を行う制御部と、を備える
画像形成装置。
【請求項１５】
記録材に形成された画像を読み取って生成した読み取り画像を出力する手順と、
前記読み取り画像を検査し、異常を含まないと判定される前記読み取り画像を正常画像とし、前記異常を含むと判定される前記読み取り画像を異常画像とした検査結果を出力する手順と、
前記読み取り画像、及び前記検査結果に基づいて、検査結果レポートを生成する手順と、
前記検査結果レポートを出力する手順と、
前記正常画像及び前記異常画像を比較可能に出力する制御を行う手順と、を
コンピュータに実行させるためのプログラム。
【発明の詳細な説明】
【技術分野】
【０００１】
本発明は、画像検査装置、画像形成装置、及びプログラムに関する。
【背景技術】
【０００２】
従来、画像形成装置が画像を形成（印刷）した用紙に対して、適正な画像が形成されているか、汚れがないか、画像の位置ずれがないか等の画像形成不良が検査されていた。
検査は、用紙に印刷された画像が、画像形成用データ（例えば、原稿画像）の作成者（ユーザー）の意図した品質を満たしているかを確認するために行われる。検査の項目は、印字位置、画像汚れ、画像擦れ、濃度ムラ、スジ、光沢ムラなど様々である。
【０００３】
過去には、用紙に印刷された画像をユーザーが直接目視するなどして検査していた。しかし、大量ページ及び大量部数を印刷する場合、ユーザーの目視による検査には非常に多くの工数が掛かり、限界があった。
【０００４】
そこで、用紙に形成された画像をスキャナ等で読み取って生成された画像（以下、「読み取り画像」と呼ぶ。）に対して画像形成不良の有無を検査する画像検査装置が、画像検査に用いられていた。この画像検査装置は、画像形成不良の有無等の検査結果をユーザーが確認可能に表示する機能を有するものがある。表示される検査結果には、画像形成不良の有無情報の他、検査された用紙の画像情報等の内容が含まれる。
【０００５】
例えば、検査結果には、読み取り画像の画像形成不良の個所（位置）が示される。しかし、この検査結果に基づいてユーザーが画像形成用データとの比較を行った場合、該当個所を認識できるものの、画像形成不良の原因を特定するには至らないことがある。
【０００６】
そこで、特許文献１には、読み取り画像と、対応する原稿画像とを比較し、不良検知レポートを用紙に印刷する技術が開示されている。不良検知レポートには、用紙に対して、読み取り画像及び原稿画像が形成され、対応する画像の画像形成不良の検知結果が印刷される。
【０００７】
図１は、不良検知レポート５８の一例を示す説明図である。
不良検知レポート５８には、正常画像５１及び不良検知画像５２が用紙に印刷される。正常画像５１は、原稿画像から生成されたものであり、不良検知画像５２は、画像形成不良の読み取り画像から生成されたものである。正常画像５１と不良検知画像５２は、原稿画像及び読み取り画像の印刷された大きさに対して縮小倍率で生成される。そして、不良検知画像５２には色ホタル５３と白スジ５４が存在している。それぞれの不良箇所は、赤丸５５，５６で囲まれて明示されている。
【先行技術文献】
【特許文献】
【０００８】
【特許文献１】特開２０１７−２０２６２７号公報
【発明の概要】
【発明が解決しようとする課題】
【０００９】
しかし、特許文献１に開示された、原稿画像から生成された正常画像５１は、あくまで理想的な画像であるに過ぎない。画像形成装置に対して行われた各種の設定により、実際に画像形成装置によって用紙に形成される画像は、原稿画像と異なることもある。しかし、読み取り画像と比較するために原稿画像から生成された正常画像５１を用いると、読み取り画像から検知された不良が、許容される不良であるのか否かが判然としないおそれがあった。また、正常画像５１と読み取り画像との差異が大きいと、全ての読み取り画像が不良と検知されるおそれもあった。
【００１０】
本発明はこのような状況に鑑みて成されたものであり、読み取り画像に含まれる異常をユーザーが容易に認識できるようにすることを目的とする。
【課題を解決するための手段】
【００１１】
本発明に係る画像検査装置は、画像形成装置により、記録材に形成された画像を読み取って生成した読み取り画像を出力する画像読取部と、読み取り画像と、読み取り画像を検査し、異常を含まないと判定される読み取り画像を正常画像とし、異常を含むと判定される読み取り画像を異常画像とした検査結果を出力する画像検査部と、読み取り画像、及び検査結果に基づいて、検査結果レポートを生成する検査結果レポート生成部と、検査結果レポートを出力する検査結果レポート出力部と、検査結果レポート出力部に、正常画像及び異常画像を比較可能に出力させる制御を行う制御部と、を備える。
【発明の効果】
【００１２】
本発明によれば、正常画像及び異常画像が比較可能に出力されるため、ユーザーは、読み取り画像に含まれる異常を認識しやすくなる。
なお、上記の画像検査装置は本発明の一態様であり、本発明の一側面を反映した画像形成装置、プログラムについても、本発明の一側面を反映した画像検査装置と同様の構成を有する。
上記した以外の課題、構成及び効果は、以下の実施の形態の説明により明らかにされる。
【図面の簡単な説明】
【００１３】
【図１】従来の不良検知レポートの一例を示す説明図である。
【図２】本発明の一実施の形態に係る画像形成装置の概略構成例を示す概略図である。
【図３】本発明の一実施の形態に係る画像形成装置の要部の構成例を示す制御ブロック図である。
【図４】本発明の一実施の形態に係る画像形成装置の内部構成例を示す機能ブロック図である。
【図５】本発明の一実施の形態に係る画像形成装置の各部の動作例を示す機能ブロック図である。
【図６】本発明の一実施の形態に係る画像検査部が行う画像検査の例を示す説明図である。
【図７】本発明の一実施の形態に係る画像検査部による読み取り画像の検査結果の保存例を示す説明図である。
【図８】本発明の一実施の形態に係る検査結果レポートの構成例を示す説明図である。
【図９】本発明の一実施の形態に係る検査結果レポートの表示例を示す説明図である。
【図１０】本発明の一実施の形態に係る異常画像が表示された検査結果レポートの例を示す説明図である。
【図１１】本発明の一実施の形態に係る正常画像と異常画像を比較可能に表示した検査結果レポートの例を示す説明図である。
【図１２】本発明の一実施の形態に係る正常画像と異常画像を比較可能に拡大表示した検査結果レポートの例を示す説明図である。
【図１３】本発明の一実施の形態に係る検査レベル設定画面の表示例を示す説明図である。
【図１４】本発明の一実施の形態に係る異常個所が強調して表示される例を示す説明図である。
【図１５】本発明の一実施の形態に係る正常画像の表示例を示す説明図である。
【図１６】本発明の一実施の形態に係る比較レポートの表示例を示す説明図である。
【図１７】本発明の一実施の形態に係る部単位で印刷された用紙の画像検査を行う例を示す説明図である。
【図１８】本発明の一実施の形態に係る読み取り画像の色味の検査時に基準画像、正常画像及び異常画像がページ毎に紐付けられて記憶部に保存される例を示す説明図である。
【図１９】本発明の一実施の形態に係る正常画像ページ情報及び異常画像ページ情報を紐付けする処理の例を示すフローチャートである。
【図２０】本発明の一実施の形態に係る検査結果レポートを生成する処理の例を示すフローチャートである。
【発明を実施するための形態】
【００１４】
以下、本発明を実施するための形態について、添付図面を参照して説明する。本明細書及び図面において、実質的に同一の機能又は構成を有する構成要素については、同一の符号を付することにより重複する説明を省略する。
【００１５】
［一実施の形態］
＜画像形成装置の概略構成例＞
始めに、画像形成装置１の概略構成例について説明する。
図２は、画像形成装置１の概略構成例を示す概略図である。図２では、本発明の説明に必要と考える要素又はその関連要素が記載されるが、画像形成装置１はこの例に限られない。
【００１６】
図２に示すように、本実施の形態に係る画像形成装置１は、本体部１０と、大容量給紙部２０と、読み取り部３０と、後処理部４０と、を備えて構成される。そして、画像形成装置１は、ＬＡＮ等のネットワークＮを介して情報端末５０に接続されている。
【００１７】
図２に示すように、本体部１０は、スキャナー部２００と、ＡＤＦ部（ＡＤＦ：Auto Document Feeder）３００と、操作表示部４００と、プリンター部５００と、を備える。すなわち、本実施の形態に係る画像形成装置１は、スキャナー機能、コピー機能、プリンター機能を備えた、いわゆるディジタル複合機である。
【００１８】
また、本体部１０には、給紙機構を有する複数の給紙トレイが設けられており、各給紙トレイの近傍には給紙された用紙を検出する給紙センサー（図示略）が設けられている。これらの給紙トレイには、それぞれ普通紙、裏紙、再生紙、上質紙、タブ紙等の種類及びサイズが異なる用紙（記録材の一例）が収容可能となっている。また、記録材として、樹脂性のシートを用いてもよい。
【００１９】
読み取り部３０は、本体部１０から搬送された印刷済みの用紙を読み取って、この用紙が正常であるか否かを検査する画像検査装置の一例として設けられる。そして、通紙される用紙の表面及び裏面に対してそれぞれ配置されたＣＣＤ（Charge Coupled Device）３１（後述する図３）が読み取った読み取り画像に基づいて、用紙の検査を行う。
【００２０】
後処理部４０は、読み取り部３０により検査された用紙に各種の後処理を行う、いわゆるフィニッシャーである。例えば、後処理部４０は、本体部１０から搬送された用紙のソート処理を行うソートユニット、パンチ処理を行うパンチユニット、折り処理を行う折りユニット、断裁処理を行う断裁ユニット、カッティング処理を行うカッティングユニット等を備える。これらのユニットについては図示を省略する。
【００２１】
また、後処理部４０には、排紙トレイが設けられている。排紙トレイには、読み取り部３０を経て搬送された用紙が排紙される。後処理部４０は、読み取り部３０により印刷済みの用紙に異常が検出された場合に、印刷済みの用紙を正常な用紙とは区別して排紙する制御を行う。このため、後処理部４０の排紙トレイには、正常な用紙が排紙される通常排紙トレイに加えて、異常が検出された用紙が排紙される異常排紙トレイがある。
【００２２】
画像形成装置１において、例えば、ＡＤＦ部３００の原稿トレイに載置された原稿は、スキャナー部２００の読み取り箇所であるコンタクトガラスに搬送され、スキャナー部２００の光学系により原稿の画像が読み取られる。ここで、画像とは、図形や写真等のイメージデータに限らず、文字や記号等のテキストデータ等も含む。
【００２３】
スキャナー部２００により読み取られた画像（アナログ画像信号）は、後述する図３に示す管理部１００に出力され、管理部１００においてＡ／Ｄ変換され、各種画像処理が施された後、本体部１０内に設けられるプリンター部５００に出力される。そして、プリンター部５００により、給紙トレイ又は大容量給紙部２０から給紙された用紙に対してディジタル画像データに基づく画像が形成される。画像が形成された用紙は、排紙機構により読み取り部３０を経た後、後処理部４０に搬送され、後処理部４０にて所定の後処理が施された後、排紙トレイに排紙される。
【００２４】
また、画像形成装置１は、ネットワークＮを介して外部の情報端末５０に接続される。情報端末５０から画像形成装置１に対して、印刷指示等の様々なデータが送信される。そして、画像形成装置１は、情報端末５０の指示に従って用紙に画像を形成する印刷処理を行う。
【００２５】
また、操作表示部４００には、読み取り部３０が読み取り画像の検査結果に基づく、印刷済みの用紙に異常が発生したことを示すメッセージや、異常画像等が表示される。なお、これらのメッセージや画像は、ネットワークＮを通じて情報端末５０に伝送され、情報端末５０に表示されてもよい。操作表示部４００は、図４で後述する検査結果レポート出力部１２７の一例として用いられる。
【００２６】
＜画像形成装置の要部の構成例＞
次に、画像形成装置１の要部の構成例について説明する。
図３は、画像形成装置１の要部の構成例を示す制御ブロック図である。
本体部１０は、管理部１００と、スキャナー部２００と、ＡＤＦ部３００と、操作表示部４００と、プリンター部５００と、コントローラー部６００と、を備えて構成される。
【００２７】
管理部１００は、画像制御ＣＰＵ（Central Processing Unit）１０１、ＲＯＭ（Read Only Memory）１０２、ＲＡＭ（Random Access Memory）１０３、読込処理部１０５、書込処理部１０６、ＤＲＡＭ（Dynamic Random Access Memory）制御ＩＣ１０７、圧縮ＩＣ１０８、伸張ＩＣ１０９、及び画像メモリ１１０を備えて構成される。そして、管理部１００には、記憶部１０４が接続される。
【００２８】
画像制御ＣＰＵ１０１は、ＲＯＭ１０２に記憶されているシステムプログラムや画像形成処理プログラム、排紙処理プログラム等の各種処理プログラムを読出してＲＡＭ１０３に展開し、展開したプログラムに従って画像形成装置１の各部の動作を集中制御する。
【００２９】
例えば、画像制御ＣＰＵ１０１は、管理部１００に接続されたスキャナー部２００又はコントローラー部６００から入力された画像情報と、管理部１００に接続された操作表示部４００を介して入力された設定情報とに基づいてジョブを生成する。そして、このジョブを実行することで用紙に画像を形成する。ここで、ジョブとは、画像形成に関する一連の動作を指す。例えば、所定ページ（枚数）の原稿からなる複写物を作成する場合、所定ページの原稿を画像形成する一連の動作すべてが１ジョブとなる。
【００３０】
ＲＯＭ１０２は、半導体メモリ等の不揮発性メモリ等により構成され、画像形成装置１に対応するシステムプログラム及び該システムプログラム上で実行可能な画像形成処理プログラム、排紙処理プログラム等の各種処理プログラム等を記憶する。これらのプログラムは、コンピュータが読み取り可能なプログラムコードの形態で格納され、画像制御ＣＰＵ１０１は、当該プログラムコードに従った動作を逐次実行する。
【００３１】
ＲＡＭ１０３は、画像制御ＣＰＵ１０１により実行される各種プログラム及びこれらプログラムに係るデータを一時的に記憶するワークエリアを形成し、ジョブキュー、各種動作設定等を記憶する。
記憶部１０４は、不揮発性メモリ等により構成され、画像形成装置１に係る各種の設定データ等を記憶する。また、記憶部１０４は、ジョブの実行に関する画像情報を記憶する。
【００３２】
読込処理部１０５は、スキャナー部２００から入力されたアナログ画像信号に、アナログ信号処理、Ａ／Ｄ変換処理、シェーディング処理等の各種処理を施し、ディジタル画像データを生成し、圧縮ＩＣ１０８に出力する。
書込処理部１０６は、伸張ＩＣ１０９から入力される画像データに基づいてＰＷＭ(Pulse Width Modulation)信号を生成し、プリンター部５００へ出力する。
【００３３】
ＤＲＡＭ制御ＩＣ１０７は、画像制御ＣＰＵ１０１からの制御に基づいて、圧縮ＩＣ１０８による画像データの圧縮処理、及び伸張ＩＣ１０９による圧縮データの伸張処理を制御するとともに、画像メモリ１１０における画像データの入出力制御を行う。例えば、スキャナー部２００により読み取られた画像データの保存が指示されると、ＤＲＡＭ制御ＩＣ１０７は、読込処理部１０５から入力された画像データの圧縮処理を圧縮ＩＣ１０８に実行させて、圧縮画像データを画像メモリ１１０の圧縮メモリ１１１に記憶させる。
【００３４】
また、圧縮メモリ１１１に記憶された圧縮画像データの画像形成が指示されると、ＤＲＡＭ制御ＩＣ１０７は、圧縮メモリ１１１から圧縮画像データを読出し、伸張ＩＣ１０９で伸張処理を実行させてページメモリ１１２に記憶させる。さらに、ＤＲＡＭ制御ＩＣ１０７は、ページメモリ１１２に記憶された画像データを読出して書込処理部１０６に出力する。
【００３５】
圧縮ＩＣ１０８は、ＤＲＡＭ制御ＩＣ１０７の制御により、入力された画像データに圧縮処理を施す。
伸張ＩＣ１０９は、ＤＲＡＭ制御ＩＣ１０７の制御により、入力される圧縮画像データに伸張処理を施す。
【００３６】
画像メモリ１１０は、例えば、揮発性メモリであるＤＲＡＭで構成され、圧縮メモリ１１１、ページメモリ１１２を有する。圧縮メモリ１１１は、圧縮画像データを記憶するためのメモリであり、ページメモリ１１２は画像形成前に画像形成に係る被圧縮画像データを一時的に格納するためのメモリである。
【００３７】
スキャナー部２００は、ＣＣＤ２０１等のイメージセンサーと、スキャナー制御部２０２と、を備えて構成される。スキャナー制御部２０２は、画像制御ＣＰＵ１０１からの制御信号に基づいて、スキャナー部２００の各部を駆動制御する。具体的には、コンタクトガラスに載置された原稿面の露光走査を実行させ、反射光をＣＣＤ２０１において結像させて画像を読み取る。そして、この結像された光信号を光電変換してアナログ画像信号を生成させ、読込処理部１０５へ出力する。
【００３８】
ＡＤＦ部３００は、画像制御ＣＰＵ１０１からの制御信号に基づいて、ＡＤＦ部３００の制御を行うＡＤＦ制御部３０１を備え、原稿トレイ（図示略）に載置された原稿をスキャナー部２００のコンタクトガラス上に１枚ずつ自動給送する。
【００３９】
操作表示部４００は、ＬＣＤ（Liquid Crystal Display）４０１と、操作表示制御部４０２と、その他図示しない操作キー群、タッチパネルとを備えて構成される。
ＬＣＤ４０１は、操作表示制御部４０２からの表示制御信号に従って、画面上に各種設定画面や画像の状態表示、各機能の動作状況等の表示を行う。また、ＬＣＤ４０１の画面上には、透明電極を格子状に配置した感圧式（抵抗膜圧式）のタッチパネルが構成されており、手指やタッチペン等で操作された力点のＸＹ座標を電圧値で検出し、検出された位置信号を操作信号として操作表示制御部４０２に出力する。
【００４０】
操作表示制御部４０２は、画像制御ＣＰＵ１０１からの制御信号に基づいて、ＬＣＤ４０１における表示制御を行う。例えば、画像形成処理に用いる用紙についての各種設定画面や、各種処理結果等をＬＣＤ４０１に表示させる。また、操作表示制御部４０２は、ＬＣＤ４０１上のタッチパネル又は操作キー群から入力された操作信号を画像制御ＣＰＵ１０１に出力する。
【００４１】
ユーザーは、操作表示部４００のＬＣＤ４０１により、画像形成処理のプリント条件を入力するための基本画面や、画像形成装置１に予約されたジョブの一覧表などの閲覧が可能である。そして、ユーザーは、ＬＣＤ４０１上のタッチパネル等を操作することにより、画像形成処理にかかる各種の設定を、所望の設定に変更することができる。
【００４２】
プリンター部５００は、ＬＤ部（Laser Diode）５０１と、プリンター制御部５０２とを備えて構成され、書込処理部１０６から入力された画像データに基づいて用紙に画像を形成する。
【００４３】
ＬＤ部５０１は、ＬＤ、感光体ドラム、帯電部、露光部、現像部、転写部、クリーニング部、及び定着部等を備える。また、ＬＤ部５０１は、ＬＤ部５０１内の搬送経路に従って用紙を搬送するための給紙ローラー、レジストローラー、排紙ローラー等の各種ローラー、搬送路切替板、及び反転部等を備える。ＬＤ部５０１の搬送部は、プリンター制御部５０２からの制御に基づいて、当該ジョブで指定された用紙を給紙トレイから給紙して、給紙された用紙を搬送経路上に搬送する。
【００４４】
また、ＬＤ部５０１の搬送経路上には、複数のセンサーが設けられている。これらのセンサーは、用紙が通過する際に検出信号を発生し、これをプリンター制御部５０２に出力する。
【００４５】
プリンター制御部５０２は、画像制御ＣＰＵ１０１からの制御信号を受信して、ＬＤ部５０１の各部の動作を制御する。また、プリンター制御部５０２は、搬送経路上に設けられたセンサーからの検出信号に基づいて、ジョブ毎に給紙した用紙の枚数をカウントし、画像制御ＣＰＵ１０１に出力する。
【００４６】
プリンター部５００では、プリンター制御部５０２からの指示に基づいて、感光体ドラム表面を帯電部により帯電させ、書込処理部１０６から入力されたＰＷＭ信号に基づいてＬＤにより感光体ドラム表面にレーザ光を照射することにより静電潜像を形成する。そして、現像部において感光体ドラム表面の静電潜像を含む領域にトナーを付着させ、転写部により用紙にトナーを転写して画像を形成する。そして、転写された画像を定着部で定着させた後、画像形成済みの用紙を排紙ローラーにより読み取り部３０及び後処理部４０へ搬送する。
【００４７】
コントローラー部６００は、コントローラー制御部６０１、ＤＲＡＭ制御ＩＣ６０２、画像メモリ６０３、通信制御部６０４、ＮＩＣ（Network Interface Card）６０５等を備えて構成される。
コントローラー制御部６０１は、各部の動作を統括的に制御し、通信制御部６０４及びＮＩＣ６０５を介して、外部の情報端末５０から入力されるデータをジョブとして、管理部１００に配信する。
【００４８】
ＤＲＡＭ制御ＩＣ６０２は、ＮＩＣ６０５及び通信制御部６０４により受信されたデータの画像メモリ６０３への格納や、画像メモリ６０３からのデータの読出しを制御する。また、ＤＲＡＭ制御ＩＣ６０２は、管理部１００のＤＲＡＭ制御ＩＣ１０７とＰＣＩ（Peripheral Components Interconnect）バスで接続されており、コントローラー制御部６０１からの指示に従って、画像形成対象のデータを画像メモリ６０３から読出してＤＲＡＭ制御ＩＣ１０７に出力する。
【００４９】
画像メモリ６０３は、ＤＲＡＭから構成され、入力されたデータを一時的に格納する。
通信制御部６０４は、ＮＩＣ６０５の通信を制御する。ＮＩＣ６０５は、ネットワークＮに接続するための通信インタフェースであり、情報端末５０からネットワークＮを介して画像情報、ジョブ等を受信し、ＤＲＡＭ制御ＩＣ６０２に出力する。
【００５０】
読み取り部３０は、ＣＣＤ３１等のイメージセンサーと、スキャナー制御部３２と、を備えて構成される。スキャナー制御部３２は、プリンター制御部５０２を介して受信する画像制御ＣＰＵ１０１からの制御信号に基づいて、読み取り部３０の各部を駆動制御する。具体的には、本体部１０から搬送された用紙の表面及び裏面に対する走査を行って、用紙からの反射光をＣＣＤ３１において結像させて用紙に形成された画像を読み取る。そして、スキャナー制御部３２は、ＣＣＤ３１から出力される光信号に基づいて、画像データを生成し、プリンター制御部５０２を介して画像制御ＣＰＵ１０１に画像データを送信する。
【００５１】
後処理部４０は、排紙制御部４１を備えて構成される。後処理部４０は、各種の後処理を行った後、読み取り部３０による検査済みの用紙を排紙トレイに排紙する処理を行う。このため、排紙制御部４１は、読み取り部３０のスキャナー制御部３２による検査結果に基づいて用紙を排紙する制御を行う。そして、ユーザーは、排紙トレイに溜まった用紙を取得することができる。
【００５２】
＜画像形成装置の内部構成例＞
次に、画像形成装置１の内部構成例について説明する。
図４は、画像形成装置１の内部構成例を示す機能ブロック図である。
【００５３】
画像形成装置１は、画像入力部１２１、制御部１２２、検査結果レポート生成部１２４、記憶部１２５、画像検査部１２６、検査結果レポート出力部１２７、画像形成部１２８及び画像読取部１２９を備える。図４では、各部が有する機能の概要を説明する。
【００５４】
画像入力部１２１は、図３に示したコントローラー部６００から入力した画像を制御部１２２に受け渡す。また、画像入力部１２１は、本印刷モード又はプルーフモードの切替え指示、画像検査の指示等をコントローラー部６００又は情報端末５０から受け付ける。ここで、本印刷モードでは、画像形成装置１が原稿画像に基づいて用紙に画像を印刷する本印刷が行われる。本印刷モードでは、印刷される用紙毎に読取られた読み取り画像に汚れ、キズ等が含まれているか否かが検査される。
【００５５】
一方、プルーフモードでは、キャリブレーションの設定変更等が行われた画像形成装置１が最初に印刷した用紙から読み取られた読み取り画像が、プルーフ用の画像（以下、「基準画像」と呼ぶ）として生成するための処理が行われる。プルーフモードにより基準画像が作成されるタイミングは、例えば、本印刷の開始前である。一般的にプルーフモードで画像形成装置１が用紙に印刷した画像は、ユーザー等の目視により異常の有無が判定され、異常がなければ、この用紙から読み取られた読み取り画像が基準画像として用いられる。その後、基準画像と読み取り画像とが比較され、読み取り画像の検査が行われる。
なお、ＲＩＰ（Raster Image Processor）処理された原稿画像を基準画像としてもよい。
【００５６】
制御部１２２は、画像入力指示、画像形成指示、画像検査指示、リカバリ印刷の制御、記憶部１２５への画像やページ情報の保存の指示、検査結果レポートの生成指示、検査結果レポートの出力指示等の制御を行う。ここで、制御部１２２がリカバリ印刷の制御を行う際には、画像検査部１２６により、読み取り画像が異常と判定された時点におけるページの他に、このページに続けて画像形成され、又は搬送途中であったページについてもリカバリ印刷を指示する。
【００５７】
検査結果レポート生成部１２４は、画像読取部１２９が用紙を読み取って生成した読み取り画像と、ジョブのページ情報とに基づいて検査結果レポートを生成する。ジョブのページ情報に関しては、図７を参照して後述する。
記憶部１２５は、読み取り画像、ジョブのページ情報、及び検査結果レポート等を記憶する。
【００５８】
画像検査部１２６は、制御部１２２の指示により、読み取り画像を検査する。そして、画像検査部１２６は、異常を含まないと判定した読み取り画像を正常画像とし、異常を含むと判定した読み取り画像を異常画像とする検査結果を出力する。正常画像は、例えば、汚れ等の異常を含まない読み取り画像である。異常画像は、例えば、汚れ等の異常を含む読み取り画像である。
【００５９】
検査結果レポート出力部１２７は、検査結果レポート生成部１２４が生成した検査結果レポートを、操作表示部４００に表示する。操作表示部４００は、物理的な装置として設けられたハードウェアキーと、タッチパネルディスプレイとを備える。そして、タッチパネルディスプレイには、ソフトウェアにより再現されたキーであるソフトウェアキー（操作オブジェクト画像）が表示される。ユーザーは操作表示部４００のハードウェアキー又はソフトウェアキーをタッチすることで、画像形成装置１の各種の操作をすることができる。また、操作表示部４００のタッチパネルディスプレイ（画面）には、検査結果レポートが表示される。検査結果レポートの詳細については、図８以降で説明する。
なお、検査結果レポート出力部１２７は、画像形成部１２８に対して、検査結果レポートの印刷を指示してもよい。この場合、検査結果レポートは、用紙に印刷される。
【００６０】
検査結果レポート出力部１２７は、異常画像の表示を指示する異常画像出力指示部１２７ａと、検査レベルを設定するための検査レベル設定部１２７ｂを有する。異常画像出力指示部１２７ａ及び検査レベル設定部１２７ｂは、検査結果レポートと共に同一画面上に表示され、ユーザーによる指示操作を受付ける操作オブジェクト画像からの入力に基づいて動作する。
【００６１】
異常画像出力指示部１２７ａは、制御部１２２に対して異常画像の表示を指示する機能を有している。異常画像出力指示部１２７ａは、後述する図９に示す異常画像釦４０４又は異常画像比較釦４０３に対して行われたタッチ入力（押下）により動作する。例えば、異常画像釦４０４が押されると、検査結果レポートには異常画像のみ表示され、異常画像比較釦４０３が押されると、検査結果レポートには正常画像と異常画像が並べて表示される。
【００６２】
検査レベル設定部１２７ｂは、画像検査部１２６が読み取り画像を検査する検査レベル（検査の厳しさ）を調整する。検査レベル設定部１２７ｂは、例えば、後述する図１０〜図１２に示す調整釦４１５に対して行われたタッチ入力（押下）により動作する。調整釦４１５が押されると、検査結果レポートを表示している画面から、検査レベル設定を操作可能な画面に表示が切り替わる。切り替わり後の画面には、指示操作を受付ける操作オブジェクト画像として、検査レベルを設定可能なレベル釦が表示される。この操作オブジェクト画像に対してユーザーがタッチ入力を行うと、検査レベルの設定を変更することが可能となる。
【００６３】
画像形成部１２８は、制御部１２２の指示により、用紙に画像を形成し、画像形成済みの用紙を出力する。
画像読取部１２９は、画像形成部１２８から出力された用紙を読み取って生成した読み取り画像を出力する。この読み取り画像は、例えば、記憶部１２５に記憶される。
【００６４】
なお、画像入力部１２１の機能は、例えば、図３に示す管理部１００に設けられたＤＲＡＭ制御ＩＣ１０７により実現される。また、制御部１２２、検査結果レポート生成部１２４、記憶部１２５、画像検査部１２６、検査結果レポート出力部１２７の機能は、例えば、管理部１００に設けられた画像制御ＣＰＵ１０１により実現される。また、画像形成部１２８の機能は、例えば、プリンター部５００により実現される。また、画像読取部１２９の機能は、例えば、読み取り部３０により実現される。
【００６５】
＜画像形成装置の各部の動作例＞
図５は、画像形成装置１の各部の動作例を示す機能ブロック図である。図５に示す各機能ブロックは、図４に示した各機能ブロックと同じである。図５では、図中に付した（１）〜（１９）の処理に即して各機能ブロックが他の機能ブロックとどのように連携して処理を行っているかを説明する。
【００６６】
（１）まず、画像入力部１２１から制御部１２２に画像が入力される。ここでの画像には、ジョブ情報及び原稿画像で構成されたジョブも含まれる。この画像は、コントローラー部６００から画像入力部１２１が受信したものである。そして、制御部１２２は、ジョブを開始する。ジョブが開始されると、制御部１２２は、画像入力部１２１から入力された画像を、圧縮ＩＣ１０８を用いて圧縮し、圧縮メモリ１１１に格納する。その後、制御部１２２は、圧縮メモリ１１１に格納されている圧縮画像を、伸張ＩＣ１０９を用いて伸張し、伸張した画像を第１ページメモリ１１２ａに格納する。
【００６７】
（２）次に、制御部１２２は、画像形成部１２８に対して画像の形成を指示する。このとき、画像形成部１２８は第１ページメモリ１１２ａから原稿画像を読み出す。制御部１２２から指示を受けた画像形成部１２８は、用紙に画像を形成する印刷処理を行う。そして、画像が形成された用紙は、本体部１０から読み取り部３０に搬送される。
（３）用紙の出力を完了した後、画像形成部１２８は、画像を形成した用紙の出力完了を制御部１２２に通知する。
【００６８】
（４）次に、制御部１２２は、画像読取部１２９に対して、画像の読み取りを指示する。
（５）画像読取部１２９は、本体部１０から搬送された用紙に形成された画像を読み取り、第２ページメモリ１１２ｂに読み取り画像を格納する。そして、画像読取部１２９は、読み取り完了を制御部１２２に通知する。
【００６９】
（６）次に、制御部１２２は、画像検査部１２６に対して画像の検査を指示する。このとき、画像検査部１２６は第２ページメモリ１１２ｂから読み取り画像を読み出す。
（７）画像検査部１２６は、第２ページメモリ１１２ｂから読出した読み取り画像に汚れ等の異常が含まれているかを用紙毎に検査する。そして、画像検査部１２６は、読み取り画像に異常が含まれていると判定した場合、異常の検出個所等の検査結果を制御部１２２に通知する。また、画像検査部１２６は、読み取り画像に異常が含まれていないと判定した場合、異常なしの検査結果を制御部１２２に通知する。検査結果を通知された制御部１２２は、異常を検出した用紙に基づいてリカバリ印刷で必要となるリカバリページ数を算出する。
【００７０】
（８）次に、制御部１２２は、画像検査部１２６により検査された読み取り画像を、ジョブのページ情報と共に記憶部１２５に保存する。
（９）制御部１２２は、画像検査部１２６が検査した読み取り画像、及びジョブのページ情報を記憶部１２５から読み出し、第３ページメモリ１１２ｃに書き込む。
（１０）制御部１２２は、検査結果レポート生成部１２４に検査結果レポートの生成を指示する。検査結果レポート生成部１２４は、ジョブに含まれる全てのページに対して検査結果レポートを生成する。このとき、検査結果レポート生成部１２４は、第３ページメモリ１１２ｃから、画像検査部１２６が検査した読み取り画像及びページ情報を読み出す。
【００７１】
（１１）検査結果レポート生成部１２４は、記憶部１２５へ、検査結果レポートを保存する。
（１２）検査結果レポート生成部１２４は、制御部１２２へ、検査結果レポートの生成完了を通知する。
【００７２】
（１３）制御部１２２は、記憶部１２５から読み出した検査結果レポートを、レポート読み込み用メモリ１１３に書き込む。
（１４）制御部１２２は、検査結果レポート出力部１２７に、正常画像を含む検査結果レポートの表示を指示する。
（１５）検査結果レポート出力部１２７は、レポート読み込み用メモリ１１３に格納されている検査結果レポートを読み出し、正常画像を表示する。
【００７３】
次に、異常画像出力指示部１２７ａから異常画像の表示が指示された場合について説明する。異常画像出力指示部１２７ａの指示は、検査結果レポート出力部１２７上にある操作オブジェクト画像をユーザーがタッチ（押下）することで行われる。操作オブジェクト画像には、図９で後述する異常画像比較釦４０３及び異常画像釦４０４の２種類がある。
【００７４】
（１６）異常画像出力指示部１２７ａは、制御部１２２へ異常画像の表示を指示する。
（１７）制御部１２２は、異常画像出力指示部１２７ａの異常画像比較釦４０３が押された場合、正常画像、及び対応する異常画像の表示を指示する。また、制御部１２２は、異常画像出力指示部１２７ａの異常画像釦４０４が押された場合、検査結果レポート出力部１２７へ異常画像の表示を指示する。
【００７５】
（１８）検査結果レポート出力部１２７は、レポート読み込み用メモリ１１３に格納されている検査結果レポートを読み出し、指示に応じて、異常画像のみ、又は正常画像と異常画像を並べて表示する。
【００７６】
次に、画像検査部１２６の検査レベルを調整する場合について説明する。
（１９）検査レベル設定部１２７ｂは、制御部１２２へ検査レベル設定画面への切り替えを指示する。検査レベル設定部１２７ｂの指示は、検査結果レポート出力部１２７上にある操作オブジェクト画像をユーザーがタッチ（押下）することで行われる。操作オブジェクト画像は、後述する図１３のレベル釦で示される。そして、制御部１２２は、検査レベル設定画面を表示する（図１３で後述する）。
【００７７】
次に、制御部１２２が指示するリカバリ印刷について説明する。
制御部１２２は、読み取り画像を異常と判定した場合に、この読み取り画像に対応する画像が形成されたページのリカバリ印刷を指示する。このため、制御部１２２は、コントローラー部６００に対してリカバリ印刷すべき読み取り画像の情報を通知し、画像形成部１２８にリカバリ印刷を指示する。画像形成部１２８は、制御部１２２が算出したリカバリ印刷すべき読み取り画像の情報に基づいて、リカバリ印刷を行う。リカバリ印刷された用紙に対しても画像読取部１２９による読み取り、画像検査部１２６による検査が行われ、必要に応じて検査結果レポートが生成されると共に、検査結果レポートが出力される。
【００７８】
＜画像検査部が行う画像検査の例＞
図６は、画像検査部１２６が行う画像検査の例を示す説明図である。
ここでは、１０ページ分の画像が用紙に形成される例について説明する。図６中の矢印は、画像検査部１２６が読み取り画像を異常と検出したことを表す。そして、画像検査部１２６により異常と判定された読み取り画像のページに対して「異常判定」と記載する。
【００７９】
図６に示す各矩形枠は、画像形成部１２８により画像が形成された用紙、又は画像形成前であって、画像形成装置１内の搬送路を搬送される途中の用紙を表す。そして、各矩形枠内に付した数字は、各用紙に対して、何ページ目の画像が形成され、又は形成される予定であったかを表す。ここでは、１０ページ分の画像が各用紙に形成されるものとする。以下の説明では、１ページ目の読み取り画像を「読み取り画像１」と呼ぶ。同様に、２〜１０ページ目の読み取り画像を「読み取り画像２」〜「読み取り画像１０」と呼ぶ。
【００８０】
（１）始めに、読み取り画像１〜４は、画像検査部１２６により異常を含まないと判定されたとする。このため、１〜４ページ目の画像が形成された用紙は、通常の排紙トレイ（通常排紙トレイ）に排紙される。以下の説明では、画像検査部１２６が読み取り画像を検査し、異常を含まないと判定することを「正常判定」とも呼ぶ。
【００８１】
（２）１〜４ページ目の４枚の用紙が通常排紙トレイへ排紙された後、画像検査部１２６が検査した５ページ目の読み取り画像５が異常を含むと判定されたとする。以下の説明では、画像検査部１２６が読み取り画像を検査し、異常を含むと判定することを「異常判定」とも呼ぶ。５ページ目の読み取り画像５が異常判定されると、異常判定された５ページ目以降の６〜９ページ目の画像が形成される用紙は、既に画像形成済み、又は画像形成装置１内の搬送路に搬送されている。仮に、この６〜９ページ目の読み取り画像が正常判定されると、６〜９ページ目の画像が形成される用紙が通常排紙トレイに排紙される。その後、５ページ目のリカバリ印刷が行われ、この５ページ目の読み取り画像５が正常判定されると、既に通常排紙トレイに排紙された６〜９ページ目の画像が形成された用紙の後に、５ページ目の画像が形成された用紙が排紙されることとなり、用紙がページ順に積み上がらなくなる。そこで、既に画像形成済み、又は画像形成装置１内の搬送路に搬送されている６〜９ページ目の画像が形成される用紙を損紙として扱う。このため、異常判定された５ページ目の画像が形成された用紙と共に、６〜９ページ目の画像が形成される用紙は、異常排紙トレイに排紙される。
【００８２】
（３）次に、画像形成装置１は、制御部１２２の指示により、５ページ目の画像からリカバリ印刷を開始する。そして、図６では、画像検査部１２６により読み取り画像５が再び異常判定されたとする。この場合、リカバリ印刷により６〜９ページ目の画像が形成された用紙は、異常判定された５ページ目の画像が形成された用紙と共に、異常排紙トレイに排紙される。
【００８３】
（４）次に、画像形成装置１は、制御部１２２の指示により、５ページ目の画像から再度、リカバリ印刷を開始する。そして、画像検査部１２６により読み取り画像８が異常判定されたとする。この場合、正常判定された５〜７ページ目の画像が形成された用紙は、通常排紙トレイに排紙し、異常判定された８ページ目の画像が形成された用紙と、既に画像形成済み、又は画像形成装置１内の搬送路に搬送されている９〜１０ページ目の画像が形成される用紙が異常排紙トレイに排紙される。
【００８４】
（５）次に、画像形成装置１は、制御部１２２の指示により、８ページ目の画像からリカバリ印刷を開始する。そして、画像検査部１２６により読み取り画像８〜１０が正常判定される。正常判定された８〜１０ページ目の画像が形成された用紙は、通常排紙トレイに排紙される。そして、１０ページ分のジョブが終了する。
【００８５】
本実施の形態では、ジョブ内で画像検査部１２６により異常判定された読み取り画像に対応する画像のリカバリ印刷が行われた後、画像読取部１２９により生成され、かつ画像検査部１２６により正常判定された読み取り画像が、正常画像と呼ばれる。また、過去に実行されたジョブと同一のジョブが実行されることで、用紙に形成された画像が画像読取部１２９により読み取られ、画像検査部１２６により正常判定された読み取り画像についても、正常画像と呼ばれる。
【００８６】
＜画像検査部による読み取り画像の検査結果の保存例＞
図７は、画像検査部１２６による読み取り画像の検査結果が保存される例を示す説明図である。ここでは、画像検査部１２６により検査された読み取り画像１〜１０（図６）の検査結果がどのように記憶部１２５に保存されるのかが示される。
【００８７】
画像検査部１２６の検査結果には、例えば、ジョブ情報と、各ページのページ情報とが含まれる。各ページのページ情報は、例えば、画像読取部１２９が用紙を読み取って生成した読み取り画像を含む。ページ情報は、正常画像に関する正常画像ページ情報と、異常画像に関する異常画像ページ情報とがある。
【００８８】
ジョブ情報は、少なくとも画像検査部１２６により正常と判定された読み取り画像１のページ情報のアドレスを保持する。正常と判定された読み取り画像１のページ情報を正常画像ページ情報１と呼ぶ。同様に、正常とされた読み取り画像２〜１０のページ情報を正常画像ページ情報２〜１０と呼ぶ。
【００８９】
そして、各正常画像ページ情報（例えば、正常画像ページ情報１）は、少なくとも、各読み取り画像（例えば、読み取り画像１）が保存される記憶部１２５上でのアドレスを保持する。さらに、各正常画像ページ情報（例えば、正常画像ページ情報１）は、次ページの正常と判定された読み取り画像のページ情報（例えば、正常画像ページ情報２）のアドレスを保持する。
【００９０】
また、正常画像と異常画像があるページの正常画像ページ情報には、画像検査部１２６により異常と判定された読み取り画像である、異常画像ページ情報のアドレスが保持される。例えば、異常と判定された読み取り画像１のページ情報を異常画像ページ情報１と呼ぶ。同様に、異常と判定された読み取り画像２〜１０のページ情報を異常画像ページ情報２〜１０と呼ぶ。図７中では、５ページに２つの異常画像ページ情報５が保存され、８ページに１つの異常画像ページ情報８が保存される様子が示される。
【００９１】
そして、各異常画像ページ情報（例えば、異常画像ページ情報５）は、各読み取り画像（例えば、読み取り画像５）の記憶部１２５上でのアドレスを保持する。さらに、各異常画像ページ情報（例えば、異常画像ページ情報５）は、リカバリ印刷した結果、異常と判定された読み取り画像のページ情報のアドレスをも保持する。
【００９２】
各異常画像ページ情報は、各読み取り画像に対して、少なくとも異常検出数、異常種類、異常個所座標に関する情報を保持する。ここで、異常個所座標は、例えば、異常個所を囲う矩形枠の左上と右下の座標で表される。なお、矩形枠の中心を異常個所座標としてもよい。
【００９３】
そして、制御部１２２は、当該ページの読み取り画像が正常判定されるより以前に、異常判定されていた場合、正常画像ページ情報の後に異常画像ページ情報を紐付けて、記憶部１２５に正常画像ページ情報及び異常画像ページ情報を保存する。
【００９４】
＜検査結果レポートの構成例＞
図８は、検査結果レポートの構成例を示す説明図である。
検査結果レポートは、図７のジョブ情報に基づき、実行されたジョブ毎に記憶部１２５に保存されるデータファイルである。本明細書では、記憶部１２５に保存されるデータファイルとしての検査結果レポートと、検査結果レポート出力部１２７により画面等に出力される検査結果レポートがある。
【００９５】
記憶部１２５に保存される検査結果レポートには、読み取り画像と、ページ情報に保存されている異常検出数、異常種類、異常個所座標等が含まれる。検査結果レポート生成部１２４は、制御部１２２の指示に従って、記憶部１２５に検査結果レポートを生成し、この検査結果レポートを記憶部１２５に保存する。
【００９６】
図７に示した１〜１０ページ目の正常画像ページ情報と、５ページ目の２枚の異常画像ページ情報、８ページ目の１枚の異常画像ページ情報とが紐付けられた検査結果レポートが記憶部１２５に保存される。この検査結果レポートは、ファイルヘッダと各ページ毎のレポートページで構成される。各ページのレポートページは、ページ情報と画像で構成される。
【００９７】
ファイルヘッダには、少なくとも、ジョブのページ数（正常画像のページ数）、全ページ数（異常画像を含めた全ページ数）の情報が保持される。
読み取り画像１であれば、画像検査部１２６により正常と判定された読み取り画像１の正常画像ページ情報１がレポートページに格納される。同様に、画像検査部１２６により正常と判定された読み取り画像２〜１０についても、正常画像ページ情報２〜１０がレポートページに格納される。
【００９８】
ここで、読み取り画像５，８は、異常画像と判定されたことにより、リカバリ印刷が行われたページの用紙に形成された画像から読み取られた読み取り画像を含む。
読み取り画像５であれば、画像検査部１２６により異常と判定された読み取り画像５の異常画像ページ情報５がレポートページに格納される。同様に、画像検査部１２６により異常と判定された読み取り画像８の異常画像ページ情報８がレポートページに格納される。
【００９９】
レポートページに保存される読み取り画像１の正常画像をページ１（正常画像）と呼ぶ。同様に、レポートページに保存される読み取り画像２〜１０の正常画像を、それぞれページ２（正常画像）〜ページ１０（正常画像）と呼ぶ。
また、レポートページに保存される読み取り画像５の異常画像をページ５（異常画像）と呼ぶ。同様に、レポートページに保存される読み取り画像８の異常画像をページ８（異常画像）と呼ぶ。
【０１００】
読み取り画像に対応する各ページ情報には、正常判定又は異常判定区分、読み取り画像サイズ(縦、横)、読み取り画像の解像度、及び読み取り画像の階調が格納される。
さらに、読み取り画像が異常と判定された場合には、ページ情報に異常画像紐付け情報、異常検知数、異常種類、異常個所座標が格納される。異常画像紐付け情報は、ページ情報で表されるページの読み取り画像が異常と判定された場合に、この異常画像が保存される記憶部１２５でのアドレスとして表される。アドレスは、例えば、検査結果レポートの先頭のファイルヘッダを０番地としたときに相対的に算出される値であり、検査結果レポートに格納される各レポートページの論理的な位置を表す。
【０１０１】
例えば、読み取り画像５が正常判定されるより以前に、異常判定されていた場合、正常画像に対応するレポートページの後に異常画像に対応するレポートページが位置するように正常画像ページ情報５と異常画像ページ情報５が紐付けられる。図中には、ページ５（正常画像）が格納されるレポートページの正常画像ページ情報５から、最初に異常が判定された読み取り画像である、ページ５（異常画像）が格納されるレポートページの異常画像ページ情報５へ向かう矢印Ｒ１が示される。この矢印Ｒ１により、異常画像紐付け情報であるアドレスが格納されたことが表される。
【０１０２】
さらに、矢印Ｒ２により、異常画像紐付け情報であるアドレスが格納されたことが表される。この矢印Ｒ２は、最初に異常が判定された読み取り画像である、ページ５（異常画像）が格納されるレポートページの異常画像ページ情報５から、次に異常が判定された読み取り画像である、ページ５（異常画像）が格納されるレポートページの異常画像ページ情報５へ向かう。
同様に、矢印Ｒ３によっても、異常画像紐付け情報であるアドレスが格納されたことが表される。この矢印Ｒ３は、ページ８（正常画像）が格納されるレポートページの異常画像ページ情報８から、最初に異常が判定された読み取り画像である、ページ８（異常画像）が格納されるレポートページの異常画像ページ情報８へ向かう。
【０１０３】
このように、画像検査部１２６により読み取り画像が正常と判定された場合、この読み取り画像と同一のページであって、以前に異常と判定された読み取り画像が保存されるアドレスがページ情報に格納される。ただし、以前に異常と判定された読み取り画像が保存されていなければ、ページ情報には、“画像なし”と格納される。
【０１０４】
＜検査結果レポートの表示例＞
次に、検査結果レポートの表示例について、図９〜図１５を参照して説明する。
図９は、検査結果レポートの表示例を示す説明図である。
【０１０５】
図９には、図６にて異常が検出された読み取り画像５に基づいて作成された検査結果レポートが、操作表示部４００（検査結果レポート出力部１２７）の画面に表示された例が示される。始めに、正常画像４０７が検査結果レポートに表示された例について説明する。
【０１０６】
この検査結果レポートは、「Ｉｍａｇｅ００００５」が選択されて、「Ｉｍａｇｅ００００５」に対応する読み取り画像５の正常画像４０７が表示されたものである。ここで、操作表示部４００の画面左側には、表示される検査結果レポートの読み取り画像１〜１０をページ毎に切り替えるための切替えタブが設けられる。切替えタブには、ページ毎に管理される検査結果レポートを選択して切り替えるために、各検査結果レポートのファイル名である「Ｉｍａｇｅ００００１」〜「Ｉｍａｇｅ０００１０」が表示される。
【０１０７】
ここで、図９に示す検査結果レポートには、正常判定された読み取り画像５の正常画像４０７が示される。正常画像４０７の下部には、ユーザーが正常画像４０７を拡大縮小させる操作を行うための拡大縮小釦４０６が設けられる。例えば、「＋」の拡大縮小釦４０６が押されると正常画像４０７が拡大して表示され、「−」の拡大縮小釦４０６が押されると正常画像４０７が縮小して表示される。また、検査結果レポートの下部には、ユーザーが検査結果レポートの表示終了を指示するための終了釦４０５が設けられる。ユーザーが終了釦４０５を押すことで、検査結果レポートの表示が終了する。
【０１０８】
ここで、図４に示した異常画像出力指示部１２７ａは、検査結果レポートの下部に表示される、異常画像比較釦４０３及び異常画像釦４０４を通じた操作に応じた異常画像の表示の指示を、制御部１２２に出力する。
異常画像比較釦４０３は、ユーザーが、正常画像と異常画像を並べて表示することを検査結果レポート出力部１２７に指示するために用いられる。ユーザーにより異常画像比較釦４０３を押すことで、図９に示す検査結果レポートには、正常画像４０７と異常画像４０８とが並べて表示される（後述する図１１を参照）。
異常画像釦４０４は、ユーザーが異常画像の表示を検査結果レポート出力部１２７に指示するために用いられる。図９に示す検査結果レポートは、ユーザーにより異常画像釦４０４が押されることで、異常画像４０８だけが表示される（後述する図１０を参照）。
【０１０９】
図９は、画像形成装置１の操作表示部４００上での表示例であるが、操作表示部４００に限定するものではなく、ネットワーク上に接続された外部ＰＣやタブレット端末等でもよい。
【０１１０】
また、図９に表示された正常画像４０７は、木が縦向きとなるように表示されているが、木が横向きとなるように表示させてもよい。その場合、不図示の図面回転釦等の操作オブジェクト画像があってもよい。横向きに表示された正常画像４０７は、縦向きに表示された正常画像４０７より拡大して表示されるため、正常画像４０７を認識しやすくなる。
【０１１１】
＜異常画像が表示された検査結果レポートの例＞
図１０は、異常画像４０８が表示された検査結果レポートの例を示す説明図である。図９に示した正常画像４０７が表示された検査結果レポートにて、ユーザーが異常画像釦４０４を押すことで、図１０に示す検査結果レポートが表示される。
【０１１２】
ここで、検査結果レポート出力部１２７は、異常画像４０８に対して、画像検査部１２６により異常と検知された異常個所を強調して表示する。例えば、汚れ又はスジ等の異常は、赤丸（第１態様の一例）で囲まれ、強調表示される。図１０に示すように、異常画像４０８には汚れ４０９と白スジ４１０の異常が存在し、それぞれの異常が赤丸４１１，４１２で囲まれている。
【０１１３】
検査結果レポートの下部には、異常画像４０８を拡大縮小させるための拡大縮小釦４０６が設けられる。例えば、「＋」の拡大縮小釦４０６が押されると異常画像４０８が拡大して表示され、「−」の拡大縮小釦４０６が押されると異常画像４０８が縮小して表示される。
【０１１４】
また、検査結果レポートの下部には、画面の表示を元に戻すための戻る釦４１６が設けられる。戻る釦４１６が押されると、図９に示した正常画像４０７のみの表示に戻る。異常画像４０８から正常画像４０７のみの表示に戻ることで、表示の切り替えによる異常個所の確認がしやすくなる。
【０１１５】
なお、正常画像４０７と同様に異常画像４０８を回転表示させる操作オブジェクト画像があってもよい。横向きに表示された異常画像４０８は、縦向きに表示された異常画像４０８より拡大して表示される。そして、ユーザーにより戻る釦４１６が押されると、横向きに拡大して表示された異常画像４０８が、横向きに拡大して表示された正常画像４０７へと表示が切り替わる。一方、ユーザーにより異常画像釦４０４が押されると、横向きに拡大表示された異常画像４０８へと表示が切り替わる。このように正常画像４０７と異常画像４０８が横向きに拡大して表示されるため、ユーザーは異常個所を認識しやすくなる。
【０１１６】
また、検査結果レポートの下部には、ページ送り釦４１３、ページ戻し釦４１４及び調整釦４１５が表示される。ページ送り釦４１３、ページ戻し釦４１４については、後述する図１１を参照して説明する。調整釦４１５については、後述する図１３を参照して説明する。
【０１１７】
＜正常画像と異常画像を比較可能に表示した検査結果レポートの例＞
図１１は、正常画像４０７と異常画像４０８を比較可能に表示した検査結果レポートの例を示す説明図である。図９に示した正常画像４０７が表示された検査結果レポートにて、ユーザーが異常画像比較釦４０３を押したことで、図１１に示す検査結果レポートが表示される。
【０１１８】
制御部１２２は、異常画像比較釦４０３が押されると、正常画像４０７と異常画像４０８とを並べて表示するよう検査結果レポート出力部１２７に指示する。この指示により検査結果レポート出力部１２７は、検査結果レポートに正常画像４０７と異常画像４０８とを並べて表示する。このため、ユーザーは、画像検査部１２６により異常判定された原因である異常の種類と異常個所を認識しやすくなる。
【０１１９】
また、一つの読み取り画像に対して、画像検査部１２６が複数回の異常判定を行ったことにより、読み取り画像に紐付けられた異常画像が複数ある場合がある。この場合、検査結果レポート出力部１２７は、ユーザーによって押されるページ送り釦４１３又はページ戻し釦４１４に応じて、異常画像のみをページ送り又はページ戻しして表示することが可能である。
【０１２０】
例えば、図６に示した５ページ目の読み取り画像５は、画像検査部１２６により２回の異常判定を受けている。このため、ページ送り釦４１３が押されると、２回目に異常を含むと判定された異常画像４０８が表示される。逆に、ページ戻し釦４１４が押されると１回目に異常を含むと判定された異常画像４０８が表示される。
【０１２１】
また、正常画像４０７と異常画像４０８の下部に設けられる拡大縮小釦４０６は、正常画像４０７と異常画像４０８を共に、同じ縮尺で拡大又は縮小させるために用いられる。
【０１２２】
＜正常画像と異常画像を比較可能に拡大表示した検査結果レポートの例＞
図１２は、正常画像４０７と異常画像４０８を比較可能に拡大表示した検査結果レポートの例を示す説明図である。図１１に示した検査結果レポートの赤丸４１１で囲まれた領域付近がユーザーにより押されたことで、この付近の画像が拡大された検査結果レポートが表示される。
【０１２３】
検査結果レポート出力部１２７は、異常画像４０８の異常個所を含む領域、及び正常画像４０７の異常個所に対応する領域を共に拡大表示する。正常画像４０７と共に、異常画像４０８の異常個所を拡大表示されることで、ユーザーは、画像検査部１２６が異常判定した原因である異常の種類と異常個所を認識しやすくなる。
【０１２４】
＜検査レベル設定画面の表示例＞
図１３は、検査レベル設定画面の表示例を示す説明図である。図１０〜図１２に示した検査結果レポートの調整釦４１５がユーザーにより押されたことで、画像検査部１２６の検査レベルを設定するための検査レベル設定画面が表示される。調整釦４１５は、ユーザーによる指示操作を受付ける操作オブジェクト画像の一例である。
【０１２５】
検査レベル設定部１２７ｂは、検査結果レポートと共に表示される調整釦４１５に対する入力を受け付けて、制御部１２２に検査レベルの設定を行う。調整釦４１５が押されると、図１３に示す検査レベル設定画面に切り替わって表示される。ユーザーは、検査レベル設定画面を通じて、画像検査部１２６の検査レベルを調整できる。例えば、検査結果レポートに表示された異常画像４０８を確認したユーザーが、画像検査部１２６の検査レベルが厳しすぎると判断した場合、検査レベル設定画面を通じて検査レベルを調整することができる。
【０１２６】
ここで、ユーザーが調整可能な検査レベルとして、Ｌｅｖｅｌ１〜Ｌｅｖｅｌ７がある。Ｌｅｖｅｌ１が設定されると、画像検査部１２６は、読み取り画像の検査で判定した汚れ、キズ等の大きさが０．１ｍｍ以上であるときに異常と検出する。一方、Ｌｅｖｅｌ７が設定されると、画像検査部１２６は、読み取り画像の検査で判定した汚れ、キズ等の大きさが３ｍｍ以上であるときに異常と検出する。このように検査レベルのＬｅｖｅｌ番号が少ないほど、画像検査部１２６は、わずかな汚れ、キズ等の大きさであっても異常と検出する。このため、ユーザーは、Ｌｅｖｅｌ１〜Ｌｅｖｅｌ７からいずれかのレベル釦を選択して押下することで、画像検査部１２６の検査レベルを調整することが可能となる。
【０１２７】
＜異常個所が強調して表示される例＞
図１４は、異常個所が強調して表示される例を示す説明図である。ここでは、図９に示した正常画像４０７が表示された状態から、ユーザーにより異常画像釦４０４が押されて切り替わった検査結果レポートの表示例について説明する。
【０１２８】
検査結果レポート出力部１２７は、読み取り画像に対して、画像検査部１２６が、同一ページに対して複数回、異常を含むと判定し、さらに異常を含むと判定した原因が同一である場合、この異常を含む異常個所を、図１０に示した態様とは異なる二重赤丸（第２態様の一例）等の態様で強調して表示する。例えば、読み取り画像５の同一個所が複数回にわたって異常判定されたとする。この場合、図１０の赤丸４１１とは異なる態様である、二重赤丸４１７で汚れ４０９を囲って強調表示する。これにより、ユーザーは、複数回にわたって、読み取り画像の同じ位置に異常が発生していることを認識しやすくなる。
【０１２９】
＜正常画像の表示例＞
図１５は、正常画像の表示例を示す説明図である。ここでは、異常画像４０８が紐づけられていない正常画像４０７が表示された検査結果レポートについて説明する。
【０１３０】
検査結果レポート出力部１２７は、異常画像４０８が紐づけられていない正常画像４０７を検査結果レポートに表示する際には、検査結果レポートに異常画像比較釦４０３、異常画像釦４０４を表示しない。なお、この検査結果レポートには、異常画像４０８が紐付けられていない正常画像４０７と、正常画像４０７を拡大縮小させるための拡大縮小釦４０６と、終了釦４０５が表示される。そして、ユーザーが終了釦４０５を押すと、検査結果レポート出力部１２７は、検査結果レポートの表示を終了する。
【０１３１】
＜比較レポートの表示例＞
図１６は、比較レポートの表示例を示す説明図である。
検査結果レポートは、図９〜図１２に示した検査結果レポートでの態様以外に検査結果を整理することができる。以下に示す図１６の説明図（Ａ）〜説明図（Ｃ）の比較レポートは、検査結果レポートの一例であり、例えば、ＰＤＦ（Portable Document Format）のような電子ファイルとして出力される。電子ファイルとすることで、ＵＳＢ（Universal Serial Bus）等を用いて、外部ＰＣ等で閲覧可能となる。以下、図６のジョブを用いて各レポートの構成を説明する。
【０１３２】
図１６の説明図（Ａ）は、検査結果レポート生成部１２４が正常画像だけを収集して生成したレポートである。このレポートには、リカバリ印刷前に画像検査部１２６により正常判定された１〜４ページの正常画像と、２度目のリカバリ印刷時に正常判定された５〜７ページの正常画像と、３度目のリカバリ印刷時に正常判定された８〜１０ページの正常画像とが含まれる。
【０１３３】
図１６の説明図（Ｂ）は、検査結果レポート生成部１２４が異常画像だけを収集して作成したレポートである。図１６の説明図（Ｂ）には、異常判定された５ページ目の２枚の異常画像と、８ページ目の１枚の異常画像とが含まれる。
【０１３４】
図１６の説明図（Ｃ）は、検査結果レポート生成部１２４が、異常画像と、この異常画像に紐付られた正常画像とを収集して生成したレポートである。このレポートは、異常画像と、この異常画像に紐付られた正常画像とを並べた態様で生成される。例えば、５ページ目の読み取り画像に紐付られた正常画像、及び１度目に異常判定された異常画像とを並べた画像が示される。また、５ページ目の読み取り画像５に紐付られた正常画像、及び２度目に異常判定された異常画像とを並べた画像が示される。さらには、８ページ目の読み取り画像８に紐付られた正常画像、及び異常画像とを並べた画像が示される。これらの異常画像には、例えば、図１０を参照して説明した異常個所を強調する赤丸４１１，４１２等が付加されていてもよい。
【０１３５】
図１６の説明図（Ｃ）に示すレポートでは、２枚の画像（正常画像及び異常画像）が表示される。図１６の説明図（Ｃ）に示すレポートに含まれる正常画像と異常画像の大きさを半分に縮小し、レポート自体の大きさをＡ４にすることも可能である。しかし、元々Ａ４サイズであった正常画像や異常画像を縮小してしまうと、正常画像と異常画像の小さい差分をユーザーが判別しづらい可能性がある。このため、検査結果レポート生成部１２４は、正常画像及び異常画像の画像サイズを読み取り画像の画像サイズを保ったまま並べた検査結果レポートを生成する。例えば、正常画像及び異常画像のサイズがＡ４サイズであれば、正常画像及び異常画像のサイズを変えないように、レポート自体の大きさをＡ３サイズ以上とすることが好ましい。
【０１３６】
＜部単位で印刷された用紙の画像検査を行う例＞
図１７は、部単位で印刷された用紙の画像検査を行う例を示す説明図である。この例では、複数部の用紙に画像を形成するジョブが画像形成装置１によって実行されたとする。ジョブの実行に際して、画像形成装置１が印刷した１部目を「先頭部」、その後、画像形成装置１が印刷した用紙を「Ｎ部目」と呼ぶ。図１７の説明図（Ａ）には、先頭部の用紙が示され、図１７の説明図（Ｂ）には、Ｎ部目の用紙が示される。各部の用紙から生成される読み取り画像は、画像検査部１２６により検査が行われる。各部は、１０ページ分ある。
【０１３７】
図１７の説明図（Ａ）に示す先頭部では、読み取り画像１〜６が、画像検査部１２６により正常判定される。１〜６ページ目の画像が形成された用紙は、通常の排紙トレイ（通常排紙トレイ）に排出される。しかし、読み取り画像７が画像検査部１２６により異常判定されたため、異常判定された７ページ目以降の８〜１０ページ目の画像が形成される用紙は損紙として扱われ、異常排紙トレイに排出される。その後、画像形成装置１は、７ページ目以降のリカバリ印刷を開始する。そして、画像検査部１２６により読み取り画像７〜１０は正常判定されたため、先頭部の印刷が完了する。
【０１３８】
図１７の説明図（Ｂ）に示すＮ部目では、読み取り画像１〜４が、画像検査部１２６により正常判定される。ここで、Ｎ部目における各ページの印刷結果、及び検査結果は図６に示したものと同じとするため、詳細な説明を省略する。
【０１３９】
図１７の説明図（Ｃ）の上段には、先頭部の読み取り画像から正常判定された正常画像が並べて表示される。図１７の説明図（Ｃ）の下段には、Ｎ部目の読み取り画像から異常判定された異常画像が並べて表示される。ここで、先頭部の正常画像と、Ｎ部目の異常画像とがページ毎に紐付けて記憶部１２５に記憶される。この例では、５ページ目、８ページ目の先頭部の正常画像と、Ｎ部目の異常画像とが紐付けて記憶部１２５に記憶される。
【０１４０】
このように印刷された用紙が異なる部であっても、同一ページ毎に正常画像及び異常画像を紐付けて記憶部１２５に記憶することが可能である。そして、検査結果レポート出力部１２７は、異なる部であっても、同一ページ毎に正常画像及び異常画像を検査結果レポートに出力することが可能となる。
【０１４１】
＜読み取り画像の色味を検査する例＞
図１８は、読み取り画像の色味の検査時に基準画像、正常画像及び異常画像がページ毎に紐付けられて記憶部１２５に保存される例を示す説明図である。画像検査部１２６が読み取り画像の色味を検査する場合、画像読取部１２９がプルーフモードで読み取り画像から生成した基準画像を正常画像ページ情報と紐付けて保存する。
【０１４２】
図１８の説明図（Ａ）は、プルーフモードで読み取り画像から生成された１０ページ分の基準画像の例を示す。例えば、１〜１０ページの読み取り画像１〜１０に対応する基準画像１〜１０が記憶部１２５に保存される。
【０１４３】
図１８の説明図（Ｂ）は、本印刷モードで印刷された用紙の読み取り画像、及び損紙として扱われた用紙の例を示す。ここで、各ページの印刷結果、及び検査結果は図６に示したものと同じとするため、詳細な説明を省略する。
【０１４４】
図１８の説明図（Ｃ）には、検査結果レポート生成部１２４により、基準画像、正常画像及び異常画像がページ毎に紐付けられて記憶部１２５に保存される様子が示される。ジョブ毎に固有のジョブ情報に対して、ページ順に基準画像、正常画像及び異常画像が保存される。
【０１４５】
ここで、ジョブ情報は、正常と判定された読み取り画像の正常画像ページ情報のアドレスを保持する。そして、各正常画像ページ情報（例えば、正常画像ページ情報１）は、各基準画像ページ情報（例えば、基準画像ページ情報１）の記憶部１２５上でのアドレスを保持する。このため、検査結果レポート出力部１２７は、基準画像と読み取り画像を比較可能に並べた検査結果レポートを表示することが可能である。
【０１４６】
基準画像は、再版印刷においても画像検査部１２６の検査に使用することができる。ここで、基準画像を登録した時点における画像形成装置１の設定と、再版印刷の時点における画像形成装置１の設定とが、キャリブレーション等が実施されることで異なる場合がある。このため、設定が変更された後の画像形成装置１で再版印刷された画像の色味が、基準画像と異なる可能性がある。このため、画像検査部１２６の検査項目に色味が含まれる場合には、基準画像と読み取り画像を比較して表示すると、ユーザーが色味の差分を視認しやすくなる。そこで、ユーザーが異常画像比較釦４０３を押して検査結果レポートに表示される画像を、読み取り画像と基準画像としてよい。
【０１４７】
＜正常画像ページ情報及び異常画像ページ情報を紐付けする処理の例＞
次に、画像形成装置１によって行われる各種の処理について、正常画像ページ情報及び異常画像ページ情報を紐付けする処理、レポートページを作成する処理の順に、図１９と図２０を参照して説明する。
図１９は、正常画像ページ情報及び異常画像ページ情報を紐付けする処理の例を示すフローチャートである。
【０１４８】
まず、制御部１２２は、画像入力部１２１からジョブを受信する。そして、制御部１２２は、ジョブを開始する。ジョブが開始されると、制御部１２２は、画像入力部１２１から入力された画像データを、圧縮ＩＣ１０８を用いて圧縮し、圧縮メモリ１１１に格納する。その後、制御部１２２は、圧縮メモリ１１１に格納されている圧縮画像を、伸張ＩＣ１０９を用いて伸張し、伸張した画像を第１ページメモリ１１２ａに格納する（Ｓ１）。
【０１４９】
次に、制御部１２２は、給紙トレイ又は大容量給紙部２０から画像形成部１２８に用紙を給紙する（Ｓ２）。
次に、制御部１２２は、画像形成部１２８に対して画像の形成を指示する。制御部１２２から指示を受けた画像形成部１２８は、第１ページメモリ１１２ａから読み出した画像を用紙に形成する印刷処理を行う（Ｓ３）。印刷処理を完了した用紙を読み取り部３０に排紙した後、画像形成部１２８は、制御部１２２に対して印刷処理を完了した用紙の排紙完了を通知する。
【０１５０】
次に、画像読取部１２９は、本体部１０から搬送された用紙に形成された画像を読み取り、第２ページメモリ１１２ｂに読み取り画像を格納する（Ｓ４）。そして、画像読取部１２９は、読み取り完了を制御部１２２に通知する。
【０１５１】
次に、制御部１２２は、画像検査部１２６に対して読み取り画像の検査を指示する。このとき、画像検査部１２６は第２ページメモリ１１２ｂから読み出した読み取り画像の検査を行う（Ｓ５）。そして、画像検査部１２６は、読み取り画像に異常が含まれていないと判定した場合、異常なしの検査結果を制御部１２２に通知する。一方、画像検査部１２６は、読み取り画像に異常が含まれていると判定した場合、異常の検出個所等の検査結果を制御部１２２に通知する。
【０１５２】
次に、制御部１２２は、画像検査部１２６により検査された読み取り画像の検査結果を記憶部１２５に保存する（Ｓ６）。制御部１２２は、画像検査部１２６の検査結果に基づいて、読み取り画像に異常が含まれているか否かを判定する（Ｓ７）。制御部１２２は、読み取り画像に異常が含まれていると判定した場合（Ｓ７のＹＥＳ）、異常画像ページ情報に、読み取り画像（異常画像）の記憶部１２５上でのアドレスを保存する（Ｓ８）。
【０１５３】
一方、制御部１２２は、読み取り画像に異常が含まれていないと判定した場合（Ｓ７のＮＯ）、正常画像ページ情報に読み取り画像（正常画像）の記憶部１２５上でのアドレスを保存する（Ｓ９）。
【０１５４】
次に、制御部１２２は、画像形成部１２８が行った印刷処理がリカバリ印刷であるか否かを判定する（Ｓ１０）。制御部１２２は、リカバリ印刷であると判定した場合（Ｓ１０のＹＥＳ）、リカバリ印刷した画像のページ情報を、リカバリ印刷前に異常と判定された同一の画像のページ情報に紐付け（Ｓ１１）、ステップＳ１２に進む。一方、制御部１２２は、リカバリ印刷であると判定した場合（Ｓ１０のＮＯ）、ステップＳ１２に進む。
次に、制御部１２２は、画像検査部１２６の検査結果が、最終ページの用紙に印刷された画像の読み取り画像に対するものであるか否かを判定する（Ｓ１２）。
【０１５５】
制御部１２２は、検査結果が最終ページでないと判定した場合（Ｓ１２のＮＯ）、次ページ以降の画像形成処理を継続するため、ステップＳ２に戻り、画像形成部１２８に画像形成処理を継続させる。一方、制御部１２２は、検査結果が最終ページであると判定した場合（Ｓ１２のＹＥＳ）、本処理を終了する。これらの処理により、同一の画像（ページ）における正常画像ページ情報及び異常画像ページ情報の紐付けが完了する。
【０１５６】
＜検査結果レポートを生成する処理の例＞
図２０は、検査結果レポートを生成する処理の例を示すフローチャートである。
【０１５７】
まず、制御部１２２は、検査結果レポート生成部１２４へ検査結果レポートの生成を指示する。検査結果レポート生成部１２４は、ジョブ情報に基づいて、検査結果レポートのファイルヘッダを作成する（Ｓ２１）。上述したようにファイルヘッダには、少なくとも、ジョブのページ数（正常画像の数）、全ページ数（異常画像を含めた全ページ数）の情報が保持される。
【０１５８】
次に、検査結果レポート生成部１２４は、ジョブ情報に基づいて、図８に示した正常画像ページ情報を作成する。上述したように正常画像ページ情報には、読み取り画像の正常判定又は異常判定区分、読み取り画像サイズ(縦、横)が保持される。また、正常画像ページ情報には、読み取り画像の解像度、読み取り画像の階調、及び異常画像の紐付け等に関する情報が保持される（Ｓ２２）。
【０１５９】
検査結果レポート生成部１２４は、読み取り画像、及び正常画像ページ情報を記憶部１２５から読み出し（Ｓ２３）、読み取り画像、及び正常画像ページ情報に基づいて正常画像に関するレポートページを生成する（Ｓ２４）。
【０１６０】
次に、検査結果レポート生成部１２４は、ジョブ情報に基づいて、正常画像と異常画像との紐付け情報があるか否か判定する（Ｓ２５）。検査結果レポート生成部１２４は、異常画像との紐付け情報がないと判定した場合（Ｓ２５のＮＯ）、ステップＳ３０に進む。
【０１６１】
一方、検査結果レポート生成部１２４は、異常画像との紐付け情報があると判定した場合（Ｓ２５のＹＥＳ）、ジョブ情報に基づいて、異常画像ページ情報を作成する（Ｓ２６）。異常画像ページ情報には、画像検査部１２６による読み取り画像の正常判定又は異常判定区分、読み取り画像サイズ(縦、横)、読み取り画像の解像度、読み取り画像の階調、及び異常画像の紐付け等に関する情報が保持される。さらに、異常画像ページ情報には、異常検知数、異常種類、異常個所座標に関する情報が保持される。
【０１６２】
次に、検査結果レポート生成部１２４は、読み取り画像、及び異常画像ページ情報を記憶部１２５から読み出す（Ｓ２７）。次に、検査結果レポート生成部１２４は、読み取り画像、及び異常画像ページ情報に基づいてレポートページを生成する（Ｓ２８）。このレポートページは、同一ページにおける正常画像ページ情報の後に生成される。
【０１６３】
次に、検査結果レポート生成部１２４は、同一ページの全ての異常画像のレポートページの生成が完了したか否かを判定する（Ｓ２９）。検査結果レポート生成部１２４は、同一ページの全ての異常画像のレポートページの生成が完了していないと判定した場合（Ｓ２９のＮＯ）、ステップＳ２６に戻る。そして、検査結果レポート生成部１２４は、他の異常画像のレポートページの生成を続ける。
【０１６４】
一方、検査結果レポート生成部１２４は、同一ページの全ての異常画像のレポートページの生成が完了したと判定した場合（Ｓ２９のＹＥＳ）、ジョブ中の全てのページの読み取り画像に対してレポートページの生成が完了したか否かを判定する（Ｓ３０）。
【０１６５】
検査結果レポート生成部１２４は、ジョブ中の全てのページの読み取り画像に対してレポートページの生成が完了していないと判定した場合（Ｓ３０のＮＯ）、ステップＳ２２に戻る。一方、検査結果レポート生成部１２４は、ジョブ中の全てのページの読み取り画像に対してレポートページの生成が完了したと判定した場合（Ｓ３０のＹＥＳ）、処理を終了する。このようにページ毎にレポートページの生成を繰り返すことで、検査結果レポートの生成が完了する。
【０１６６】
以上説明した本実施の形態に係る画像形成装置１は、画像読取部１２９が用紙から読取って生成した読み取り画像を、画像検査部１２６がページ毎に正常又は異常と判定する検査を行う。画像検査部１２６は、ページ毎の読み取り画像が異常を含むか否かによって、正常判定又は異常判定した検査結果を出力する。そして、検査結果レポート生成部１２４は、出力された検査結果に基づいて、ページ毎にレポートページで構成される検査結果レポートを生成する。同一ページの読み取り画像が正常判定される前に異常判定された場合、レポートページには、異常画像と正常画像が紐付けられる。このため、検査結果レポート出力部１２７は、検査結果レポートに基づいて検査結果レポートを比較可能に出力することができる。
【０１６７】
ここで、従来の不良検知レポートは、読み取り画像(不良検知画像)と正常画像(原稿画像)を用紙に再度形成することで、画像形成後の用紙には別の汚れ等の異常が付加することがあった。この場合、不良検知レポートに付加した異常が、元々の読み取り画像に含まれていた異常であるのか、不良検知レポートを作成したことに伴って生じた異常であるのか判断できなくなる。これに対し、本実施の形態に係る検査結果レポートは、検査結果レポート出力部１２７により正常画像と異常画像とが並べて表示されたものである。このため、特許文献１に開示された不良検知レポートのように、読み取り画像(不良検知画像)と正常画像(原稿画像)を用紙に再度形成して印刷したものではない。このように、検査結果レポート出力部１２７は、正常画像と紐付けられた異常画像をユーザーの要求に応じて検査結果レポートに表示することができる。そのため、ユーザーは、異常画像に含まれる異常の内容を確認し、異常と判定された読み取り画像のページ番号等も容易に認識することができる。
【０１６８】
また、画面に表示された検査結果レポートは、異常画像比較釦４０３が押されることで、正常画像と異常画像を並べて表示される。このように正常画像と読み取り画像とが比較可能に表示されるため、ユーザーは、読み取り画像に含まれる汚れやスジ等を認識しやすくなる。また、異常画像釦４０４が押されることで、正常画像と異常画像を切り替えて表示される。そのため、ユーザーは異常個所を容易に認識することができる。また、検査結果レポートは、表示中の異常画像の異常個所付近がタッチされると、タッチされた領域付近を拡大表示するので、ユーザーは異常の原因を認識しやすくなる。
【０１６９】
また、プルーフモードで作成した基準画像と、読み取り画像とを比較可能に表示することで、読み取り画像の色味が基準画像に対して正常であるか否かを判断しやすくすることもできる。つまり、基準画像と、読み取り画像とが比較可能に表示されることで、ユーザーは、読み取り画像の色味を考慮した検査を行いやすくなる。
【０１７０】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細かつ具体的に説明したものであり、必ずしも説明した全ての構成を備えるものに限定されない。また、ここで説明した実施の形態の構成の一部を他の実施の形態の構成に置き換えることは可能であり、さらにはある実施の形態の構成に他の実施の形態の構成を加えることも可能である。また、各実施の形態の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１７１】
１…画像形成装置、３０…画像検査装置、４０…後処理部、１２２…制御部、１２４…検査結果レポート生成部、１２５…記憶部、１２６…画像検査部、１２７…検査結果レポート出力部、１２９…画像読取部
【図１】
2020026091.tif 000003
【図２】
2020026091.tif 000004
【図３】
2020026091.tif 000005
【図４】
2020026091.tif 000006
【図５】
2020026091.tif 000007
【図６】
2020026091.tif 000008
【図７】
2020026091.tif 000009
【図８】
2020026091.tif 000010
【図９】
2020026091.tif 000011
【図１０】
2020026091.tif 000012
【図１１】
2020026091.tif 000013
【図１２】
2020026091.tif 000014
【図１３】
2020026091.tif 000015
【図１４】
2020026091.tif 000016
【図１５】
2020026091.tif 000017
【図１６】
2020026091.tif 000018
【図１７】
2020026091.tif 000019
【図１８】
2020026091.tif 000020
【図１９】
2020026091.tif 000021
【図２０】
2020026091.tif 000022